(57)【特許請求の範囲】
【請求項１】
交流電源入力部と、この交流電源入力部からの交流電源を平滑整流する平滑整流回路と、この平滑整流回路で平滑整流された直流を高電圧に昇圧する昇圧回路と、一対の対峙した陽極および陰極で構成されたイオン発生部と、このイオン発生部で発生した陽イオン又は陰イオンを送風する送風機構とからなるイオン発生装置において、上記イオン発生部の陽極を上記交流電源入力部の正負各極に対して、それぞれ第１，第２の２つの非線形素子を介して結線したことを特徴とするイオン発生装置。
【発明の詳細な説明】
【０００１】
【発明の属する技術分野】
【０００２】
本願発明は、高電圧に昇圧する昇圧回路を具備するイオン発生装置に関するものである。
【従来の技術】
【０００３】
従来、高電圧部とイオン発生部を有するイオン発生装置では、放電効果が不十分で帯電による弊害を完全に排除できなかった。
【０００４】
これに関連する従来技術としては、例えばイオン発生部の陽イオン発生電極、昇圧回路、整流回路の各０（Ｖ）端子とフレームグランドとを結線し、当該フレームグランドに対して外部アースを設けるか、ないしは帯電防止材をフレーム部に塗布及び練り込む方法で帯電を抑制するようにしていた（特許文献１参照）。
【０００５】
【特許文献１】
特開平１１−１９１４７８号公報（明細書第１−３頁、図１−２）
【発明が解決しようとする課題】
【０００６】
例えば整流回路、昇圧回路、イオン発生部、送風機構とを有するイオン発生装置において、高電圧部のフレームグランドとイオン発生部の陽極側のフレームグランドとが、上記整流回路の交流電源入力部に対してアース接続されていない場合、イオン発生部の陽極側に電荷が溜まり、大気中に排出される大量のイオンがプラス荷電状態を示したり、昇圧回路を有する筺体自身に電荷が溜まることにより帯電して、大気中に排出されるイオンがプラス荷電状態もマイナス荷電状態も示さなくなって、大気中に自然に存在するイオンの状態と同様の状態となって本来のイオン発生効果が得られなくなるので、その改善が求められている。
【０００７】
そこで、例えば上記のようなイオン発生装置において、上記整流回路、昇圧回路、同イオン発生部、送風機構の各０Ｖ端子とフレームグランドとを結線する一方、さらにフレームグランドと交流電源入力部とを、例えばバリスタ、ツェナーダイオードよりなる非線形素子を介して当該電源入力部のアース極に結線することにより、上記陽極部の帯電を防止することが考えられるが、そのようにした場合、その結線時に人為的に交流電源のアース極とプラス極とを誤って接続することがあり、それにより当該装置の破損をもたらす問題が生じる。
【０００８】
本願発明は、このような問題に鑑み、上記非線形素子の結線により確実に昇圧回路を有する装置の陽極および筺体からの放電を行えるようにするとともに、同結線時の上述のような誤接続をも防止できるようにしたイオン発生装置を提供することを目的とするものである。
【課題を解決するための手段】
【０００９】
本願発明は、上記の問題を解決することを目的としてなされたものであって、次のような有効な課題解決手段を備えて構成されている。
【００１０】
すなわち、この発明の課題解決手段は、交流電源入力部と、この交流電源入力部からの交流電源を平滑整流する平滑整流回路と、この平滑整流回路で平滑整流された直流を高電圧に昇圧する昇圧回路と、一対の対峙した陽極および陰極で構成されたイオン発生部と、このイオン発生部で発生した陽イオン又は陰イオンを送風する送風機構とからなるイオン発生装置において、上記イオン発生部の陽極を上記交流電源入力部の正負各極に対して、それぞれ第１，第２の２つの非線形素子を介して結線したことを特徴としている。
【発明の効果】
【００１１】
以上の結果、本願発明によると、従来のようにイオン発生部の陽極側に電荷が溜まって帯電し、大気中に排出される大量のイオンがプラス荷電状態を示したり、また装置筺体への帯電により、大気中に排出される大量のイオンがプラス荷電状態もマイナス荷電状態も示さなくなったりする現象を有効に改善し、本来の適正なイオン発生作用を得ることができる。
【００１２】
また、第１，第２の２つの非線形素子を用いて、交流電源入力部の正負各極に同様に接続するようにしたことから、結線時の交流電源入力部のアース極とプラス極との取り違えによる人為的な結線ミスを確実に回避することが可能となる。
【００１３】
その結果、装置の保護が図られる。
【発明の実施の形態】
【００１４】
（実施の形態１）
以下、添付の図１を参照して、本願発明を実施するための実施の形態について具体的に説明する。
【００１５】
例えばコロナ放電装置やプラズマ放電装置では、大気中に設けられた放電電極の陰極と陽極間に高電圧を印加した結果、放電現象を起してイオンを発生させ、それによってその時の大気中の陽イオン数、陰イオン数が共に上昇するが、他方、所定レベルで放電現象を起こさない程度の高電圧を同大気中に設けられた放電電極の陰極と陽極間に印加した場合にも、大気中の陽イオン数、陰イオン数が共に上昇することが知られている。
【００１６】
したがって、以下の本願発明の説明においても、同電極部分を放電現象を伴わないことから、イオン発生部と称することにする。
【００１７】
次に、該本願発明の実施形態におけるイオン発生装置は、図示のように、交流電源入力部６と、この交流電源入力部６からの交流電源を平滑整流する平滑整流回路２と、この平滑整流回路２で平滑整流された直流を高電圧に昇圧する昇圧回路３と、一対の対峙した陽極４−ｂおよび陰極４−ａで構成されたイオン発生部４と、このイオン発生部４で発生した陽イオン又は陰イオンを送風する送風機構５とからなるイオン発生装置において、上記整流回路２、昇圧回路３、イオン発生部４、送風機構５の各フレームグランドＦＧと接続され、上記イオン発生部４の陽極４−ｂおよび装置筺体の帯電を防止する帯電防止回路１を設けているとともに、同帯電防止回路１は、上記フレームグランドＦＧおよびイオン発生部４の陽極４−ｂを上記交流電源入力部６の正負各極に対して、それぞれ第１，第２の２つの非線形素子（例えばバリスタ、ツェナーダイオード）７−ａ，７−ｂを介して結線したものとなっている。
【００１８】
そして、同構成では、帯電による余剰電流が上記第１，第２の非線形素子７−ａ，７−ｂに流され、上記第１，第２の非線形素子７−ａ，７−ｂの内部で或る一定値以上の電圧値を示すと、上記第１，第２の非線形素子内７−ａ，７−ｂが導通して同余剰電流が交流電源入力部６のアース極側に流され、高電圧部を有する筺体側および陽極４−ｂ側では帯電現象は示さないようになる。
【００１９】
このような図１中のイオン発生部４中の陽極４−ｂと交流電源入力部６のアース極との間の電圧値を、上述の帯電防止回路１有りの場合と、無しの場合との２つの場合について、それぞれ高電圧テスターＨＩＯＫＩ・３２３３（日置電機社製）を用いて計測した。
【００２０】
その結果を、次の［表１］に示す。
【００２１】
【表１】
0003931151.tif 000002
【００２２】
この［表１］の測定結果によると、明らかに本願発明の帯電防止回路１有りの場合が、帯電防止回路１無しの場合よりも低位な電圧値を示しており、優位であることを示している。
【００２３】
次に図１に示す回路を実際に試作し、本願発明の帯電防止回路１有り、無しの２つの場合を例として、大気中のイオン数をプラスイオン・マイナスイオンの各場合共に大気イオン数計測器ＳＣ−５０（シクマテック社製）を用いて計測した。
【００２４】
但し、この場合、大気イオン数は常に変動するので、計測時間１分間中の最大値と最小値を加算した後に２で除した値を試験値（計測値）とした。
【００２５】
又、試験（計測）と試験（計測）とのインターバルを１時間設けて行った。
【００２６】
又、イオン数計測器と試作器との距離は２ｍに固定した状態で試験を行った。
【００２７】
そして、計測は室内で行い、室温２５℃、湿度３０％で、試作器の送風機構５の風量は、２０ｍ3／ｈとした。
【００２８】
又、当日の試験前の大気イオン数は、（＋）イオンが２，８００ｃｏｕｎｔｓ／ｃｍ3、（−）イオンが４，１００ｃｏｕｎｔｓ／ｃｍ3であった。
【００２９】
その測定結果を、次の［表２］に示す。
【００３０】
【表２】
0003931151.tif 000003
【００３１】
この［表２］から明らかなように、本願発明の帯電防止回路１有りの場合が、帯電防止回路１無しの場合よりもプラスに荷電された大気イオンが明らかに減少しており、そして、帯電防止回路１無しの場合の［試験３］に示されるような大気イオン数と同等のイオン数しか示さなくなる現象は起こらなかった。
【００３２】
以上の結果、上記本願発明の構成によると、従来のようにイオン発生部４の陽極４−ｂ側に電荷が溜まって帯電し、大気中に排出される大量のイオンがプラス荷電状態を示したりまた装置筺体への帯電により、大気中に大量に排出されるイオンがプラス荷電状態もマイナス荷電状態も示さなくなる現象を有効に改善することができることが分る。
【００３３】
また、上記イオン発生部４の陽極４−ｂおよびフレームグランドＦＧを上記交流電源入力部６に結線するに際しては、その正負各極に対して、それぞれ第１，第２の２つの非線形素子７−ａ，７−ｂを介して共に結線するようにしている。そのため、必ずアース極への接続が実現されるようになり、プラス極のみへの接続は起こらなくなるので、交流電源入力部６との結線時のアース極とプラス極との取り違えによる人為的な結線ミスを確実に回避することが可能となる。
【００３４】
その結果、確実に装置が保護される。
【図面の簡単な説明】
【図１】  本願発明の実施の形態に係る帯電防止回路を含むイオン発生装置の構成を示す電気回路図である。
【符号の説明】
１は帯電防止回路、２は整流回路、３は昇圧回路、４はイオン発生部、４−ａは陰極、４−ｂは陽極、５は送風機構、６は交流電源入力部、７−ａは第１の非線形素子、７−ｂは第２の非線形素子である。
【図１】
0003931151.tif 000004